(57)【要約】【課題】  拡散板から戻った光の反射効率が悪い。【解決手段】  絶縁性を有するプリント基板１の上面に発光ダイオード（LED）２を実装し、LED２の側面周囲を枠部材で囲み、LED２に対向して、枠部材３の上面に拡散板４を配設した直下型のLCDバックライトで、プリント基板１上のLED実装領域を除く全面において、レジスト５の上面に、光の反射部材であるアルミ蒸着または銀蒸着などで形成した反射膜６を設ける。LEDの光を拡散板に効率良く入射できる。LEDの個数を減少させることも可能である。【選択図】    図１
2006189519.tif 000002
【特許請求の範囲】
【請求項１】
絶縁性を有するプリント基板の上面に発光ダイオード（LED）を実装し、前記LEDの側面周囲を枠部材で囲み、LEDに対向して、前記枠部材の上面に拡散板を配設した直下型のLCDバックライトにおいて、前記プリント基板上のLED実装領域を除く全面に光の反射部材を付加したことを特徴とする発光ダイオードを用いたLCDバックライト。
【請求項２】
前記プリント基板上のLED実装領域を除く全面に付加した光の反射部材は、アルミ蒸着または銀蒸着などで形成した反射膜であることを特徴とする請求項１記載の発光ダイオードを用いたLCDバックライト。
【発明の詳細な説明】
【技術分野】
【０００１】
本発明は、液晶表示装置を背面より照射する発光ダイオードを用いたLCDバックライトに関するものである。
【背景技術】
【０００２】
近年、光通信部材を搭載したノート型パソコン、PDA、携帯電話等の各種電子機器の表示装置として、薄型で見やすいバックライト機構を備えた液晶表示装置が広く用いられている。このようなバックライト機構としては、液晶表示装置を背面から全面にわたり照射する面状光源が用いられており、その面状光源としては蛍光ランプまたは発光ダイオード（LED）よりなる発光源と、該LEDの照射光を一様にLCD側に拡散する拡散板を備えたものが一般的である。特に、小型化、薄型化及び長寿命化を目的として発光源としてLED等を用いた面状光源が多く使用されている。
【０００３】
かかる面状光源により白色の照射光を出射させ、パネル等に対し白色の照射をしようとするとき、発光源として白色の蛍光ランプを用いるが、LEDの場合は、赤色（R）、緑色（G）、青色（B）の３種類の高輝度LEDを同時点灯、又は時分割点灯して、白色光を合成するのが一般的であった。更に最近は、LEDの場合、単独に白色に近い光を発光する白色のLEDが開発され、利用されるようになってきた。この白色のLEDを用いることにより、小型で簡単な構成で白色照明を目的とする面状光源を形成することが可能になった。（例えば、特許文献１参照）
【０００４】
上記した特許文献１に開示されている発光ダイオードを用いたLCDバックライトは、図３に示すように、絶縁性を有するプリント基板１１の上面に複数個のLED（発光ダイオード）１２を所定の位置に実装する。前記LED１２の側面周囲を反射枠（枠部材）１３で囲み、前記LED１２に対向して、前記枠部材１３の上面に散乱シート（拡散板）１４を配設する。前記プリント基板１１の上面は、LED１２の実装領域以外の部分は、一般的にレジスト１５にてコーティングされている。レジスト１５をコーティングするのは、プリント基板１１には、部品を半田付けするための半田付けパターンと、導通用のパターンがあり、半田はパターン上に濡れ広がり、半田付けパターン以外にも半田が付いてしまうのを防止すると同時に、導通用パターンの保護を兼ねている。前記レジスト１５に白色光沢印刷を施することで、光の反射面としての効果も兼ねることが良く用いられている。以上により、LCDバックライトを構成する。
【特許文献１】実開昭６４−４９８８６号公報（第３頁、図１）
【０００５】
上記したLCDバックライトの構造において、一般に、発光源であるLED１２の照射光は、その殆どは拡散板１４から、LCDバックライトとしてLCD側に出射されるが、一部は拡散板１４から反射してプリント基板１１側に戻り、前記レジスト１５で再び上方に反射される。
【発明の開示】
【発明が解決しようとする課題】
【０００６】
解決しようとする問題点は、上記したように、LED１２からの照射光は、図３に示すように、拡散板１４に入射される以外の光は、反射光としてLED実装面に戻ってくるが、LED実装領域以外にコーティングされているレジスト１５は、戻った光を更に効率良く反射させることができないので、輝度が低減する、という問題があった。
【０００７】
本発明は、上述した欠点を解消するために、その目的は、前記LED実装領域以外の全面に、反射膜を形成することにより、光の利用効率を向上させることができる、発光ダイオードを用いたLCDバックライトを可能にしたものである。
【課題を解決するための手段】
【０００８】
上記課題を解決するために、本発明における発光ダイオードを用いたLCDバックライトは、絶縁性を有するプリント基板の上面に発光ダイオード（LED）を実装し、前記LEDの側面周囲を枠部材で囲み、LEDに対向して、前記枠部材の上面に拡散板を配設した直下型のLCDバックライトにおいて、前記プリント基板上のLED実装領域を除く全面に光の反射部材を付加したことを特徴とするものである。
【０００９】
また、前記プリント基板上のLED実装領域を除く全面に付加した光の反射部材は、アルミ蒸着または銀蒸着などで形成した反射膜であることを特徴とするものである。
【発明の効果】
【００１０】
本発明の発光ダイオードを用いたLCDバックライトは、拡散板から戻った反射光を、アルミ蒸着または銀蒸着などよりなる反射膜で、更に反射させることにより、LEDの照射光を拡散板に効率良く入射でき、光の利用効率を良くし輝度を向上させることが可能な、発光ダイオードを用いたLCDバックライトを提供するものである。
【発明を実施するための最良の形態】
【００１１】
本発明の発光ダイオードを用いたLCDバックライトについて、図面に基づいて説明する。
【実施例】
【００１２】
図１、図２は、本発明の実施例に係わり、図１は、LCDバックライト装置の断面図、図２は、図１の部分拡大断面図である。図１、図２において、１はガラスエポキシ樹脂などよりなる絶縁性を有するプリント基板で、前記プリント基板１の上面の所定位置に、複数個のLED２を均一に実装する。その後、前記LED２の実装領域を除く領域全般にわたり、従来のレジスト５の上面に、反射部材として、例えば、アルミ蒸着または銀蒸着などで形成した反射膜６を設ける。本実施例では、レジストは白色にする必要はない。
【００１３】
前記ＬＥＤ２周囲を枠部材３で囲み、前記LED２に対向して、前記枠部材３の上面に拡散板４を配設してLCDバックライトを構成する
【００１４】
以上述べた構成のLCDバックライトの作用・効果について説明する。拡散板４に入射される以外の光は、反射光としてLED実装面側に戻って、プリント基板１上に形成された反射膜５により反射されて、再び拡散板４に入射されることにより、LED２の照射光を拡散板４に効率良く入射でき、光の利用効率を良くし輝度を向上させることが可能になる。
【００１５】
以上のべたように、本発明のLCDバックライトは、LEDの光を拡散板に効率良く入射できる。LEDの個数を減少させることも可能である。
【図面の簡単な説明】
【００１６】
【図１】本発明の実施例に係わるLCDバックライト装置の断面図である。
【図２】図１の部分拡大断面図である。
【図３】従来技術に係わるLCDバックライト装置の断面図である。
【符号の説明】
【００１７】
１  プリント基板
２  LED
３  枠部材
４  拡散板
５  レジスト
６  反射膜
【図１】
2006189519.tif 000003
【図２】
2006189519.tif 000004
【図３】
2006189519.tif 000005